(57)【特許請求の範囲】
【請求項１】
光ファイバ心線と、
長手方向に垂直な断面において、前記光ファイバ心線の両側方に設けられるテンションメンバと、
前記テンションメンバおよび前記光ファイバ心線を覆うように設けられる外被と、
前記外被の内部において、前記テンションメンバおよび前記光ファイバ心線と離間した部位であって、前記光ファイバ心線を挟むように前記光ファイバ心線と前記テンションメンバの間に長手方向に連続して形成される一対の非密着部と、
を具備し、
前記光ファイバ心線に対応する位置の前記外被の外周部の対向位置には、一対の第１のノッチが形成され、
長手方向に垂直な断面において、それぞれの前記非密着部に対応する最近接位置の前記外被の外周部の対向位置には、それぞれ一対の第２のノッチが形成されることを特徴とする光ファイバケーブル。
【請求項２】
光ファイバ心線と、
長手方向に垂直な断面において、前記光ファイバ心線の両側方に設けられるテンションメンバと、
前記テンションメンバおよび前記光ファイバ心線を覆うように設けられる外被と、
前記外被の内部において、前記テンションメンバおよび前記光ファイバ心線と離間した部位であって、前記光ファイバ心線を挟むように形成される一対の非密着部と、
を具備し、
前記光ファイバ心線に対応する位置の前記外被の外周部の対向位置には、一対の第１のノッチが形成され、
それぞれの前記非密着部に対応する位置の前記外被の外周部の対向位置には、それぞれ一対の第２のノッチが形成され、
前記第２のノッチは、２つの辺からなる略Ｖ字状であり、
前記光ファイバ心線に近い側の辺は、前記第２のノッチの対向方向に対して略平行に形成されることを特徴とする光ファイバケーブル。
【請求項３】
前記非密着部は、前記第２のノッチの対向方向に形成されるスリットであることを特徴とする請求項１または請求項２に記載の光ファイバケーブル。
【請求項４】
前記外被の長辺方向における前記一対の第２のノッチ間の距離は、前記外被の短径よりも短いことを特徴とする請求項１から請求項３のいずれかに記載の光ファイバケーブル。
【請求項５】
請求項１から請求項４のいずれかに記載の光ファイバケーブルを用い、
それぞれの対向する前記第２のノッチに切れ込みを入れることで、前記非密着部で前記光ファイバケーブルを分断し、前記テンションメンバを除去して前記光ファイバ心線を内蔵する分割体を得ることを特徴とする光ファイバケーブルの分離方法。
【発明の詳細な説明】
【技術分野】
【０００１】
本発明は、サイズの異なる外被把持部材に適用することが可能な光ファイバケーブル等に関するものである。
【背景技術】
【０００２】
インドアケーブルや、ドロップケーブルのケーブル部としては、主に２種類のサイズが採用されている。例えば、通常サイズであれば、短径×長径の寸法が２ｍｍ×３ｍｍであり、細径サイズであれば、短径×長径の寸法が１．６ｍｍ×２．０ｍｍのものが使用されている。
【０００３】
このような光ファイバケーブル同士の接続部においては、外被把持部材で外被が把持されて、光ファイバ心線同士が接続される。通常、光ファイバケーブルのサイズによって、異なるサイズの外被把持部材を用いる必要があるため、通常サイズ用の外被把持部材と細径サイズ用の外被把持部材を使い分ける必要があった。
【０００４】
これに対し、複数のサイズの光ファイバケーブルを把持することが可能な外被把持部材が提案されている（特許文献１）。
【先行技術文献】
【特許文献】
【０００５】
【特許文献１】特開２０１４−１６７５８６号公報
【発明の概要】
【発明が解決しようとする課題】
【０００６】
しかし、特許文献１のような、特殊は外被把持部材を用いる必要があるため、結果的にコスト増となる恐れがある。
【０００７】
本発明は、このような問題に鑑みてなされたもので、簡易な構造で、いずれのサイズの外被把持部材にも適用することが可能な光ファイバケーブル等を提供することを目的とする。
【課題を解決するための手段】
【０００８】
前述した目的を達するために第１の発明は、光ファイバ心線と、長手方向に垂直な断面において、前記光ファイバ心線の両側方に設けられるテンションメンバと、前記テンションメンバおよび前記光ファイバ心線を覆うように設けられる外被と、前記外被の内部において、前記テンションメンバおよび前記光ファイバ心線と離間した部位であって、前記光ファイバ心線を挟むように前記光ファイバ心線と前記テンションメンバの間に長手方向に連続して形成される一対の非密着部と、を具備し、前記光ファイバ心線に対応する位置の前記外被の外周部の対向位置には、一対の第１のノッチが形成され、長手方向に垂直な断面において、それぞれの前記非密着部に対応する最近接位置の前記外被の外周部の対向位置には、それぞれ一対の第２のノッチが形成されることを特徴とする光ファイバケーブルである。また、第２の発明は、光ファイバ心線と、長手方向に垂直な断面において、前記光ファイバ心線の両側方に設けられるテンションメンバと、前記テンションメンバおよび前記光ファイバ心線を覆うように設けられる外被と、前記外被の内部において、前記テンションメンバおよび前記光ファイバ心線と離間した部位であって、前記光ファイバ心線を挟むように形成される一対の非密着部と、を具備し、前記光ファイバ心線に対応する位置の前記外被の外周部の対向位置には、一対の第１のノッチが形成され、それぞれの前記非密着部に対応する位置の前記外被の外周部の対向位置には、それぞれ一対の第２のノッチが形成され、前記第２のノッチは、２つの辺からなる略Ｖ字状であり、前記光ファイバ心線に近い側の辺は、前記第２のノッチの対向方向に対して略平行に形成されることを特徴とする光ファイバケーブルである。
【０００９】
前記非密着部は、前記第２のノッチの対向方向に形成されるスリットであることが望ましい。
【００１０】
前記外被の長辺方向における前記一対の第２のノッチ間の距離は、前記外被の短径よりも短いことが望ましい。
【００１１】
第１または第２の発明によれば、第２のノッチによって光ファイバケーブルを分離すると、元のサイズよりも小さな光ファイバケーブルを得ることができる。このため、分離前の状態を、通常サイズのインドアケーブルと同サイズとし、分離後の状態を細径サイズのインドアケーブルと同サイズとすることで、いずれの外被把持部材のサイズにも適合させることができる。
【００１２】
また、第２のノッチの位置が、第１のノッチの位置とは異なる位置に形成されるため、第２のノッチの破断時に、誤って、第１のノッチを引き裂いてしまうことがない。
【００１３】
また、非密着部がスリットであれば、光ファイバケーブルの分離が容易である。
【００１４】
また、２つの辺からなる略Ｖ字状の第２のノッチの内、光ファイバ心線に近い側の辺が、第２のノッチの対向方向に対して略平行に形成されれば、第２のノッチから刃物で光ファイバケーブルを分離する際に、刃物が光ファイバ心線側に差し込まれることを防止することができる。
【００１５】
第３の発明は、第１または第２の発明にかかる光ファイバケーブルを用い、それぞれの対向する前記第２のノッチに切れ込みを入れることで、前記非密着部で前記光ファイバケーブルを分断し、前記テンションメンバを除去して前記光ファイバ心線を内蔵する分割体を得ることを特徴とする光ファイバケーブルの分離方法である。
【００１６】
第３の発明によれば、容易に光ファイバケーブルのサイズを変更することができるため、サイズの異なる外被把持部材にも適用することができる。
【発明の効果】
【００１７】
本発明によれば、簡易な構造で、いずれのサイズの外被把持部材にも適用することが可能な光ファイバケーブル等を提供することができる。
【図面の簡単な説明】
【００１８】
【図１】光ファイバケーブル１の断面図。
【図２】光ファイバケーブル１を分離して光ファイバケーブル１ａとした状態を示す図。
【図３】（ａ）は通常サイズの光ファイバケーブル１を把持部材１５ａで把持した状態を示す図、（ｂ）は細径サイズの光ファイバケーブル１ａを把持部材１５ｂで把持した状態を示す図。
【図４】（ａ）、（ｂ）はノッチ１３近傍の拡大図で、ノッチ１３から刃物で光ファイバケーブル１を分離する工程を示す図。
【図５】光ファイバケーブル１ｂの断面図。
【発明を実施するための形態】
【００１９】
以下、図面を参照しながら、本発明の実施形態について説明する。図１は、光ファイバケーブル１の長手方向に垂直な断面図である。光ファイバケーブル１は、光ファイバ心線３、テンションメンバ７、外被１１等により構成される。
【００２０】
光ファイバ心線３は、ガラス素線および樹脂被覆部からなり、例えば０．２５ｍｍ径の従来の光ファイバ心線を適用することができる。
【００２１】
光ファイバ心線３の両側方には、光ファイバ心線３に対して離間して、一対のテンションメンバ７が設けられる。テンションメンバ７は、従来から使用されている亜鉛メッキ鋼線、ＰＥＮやＰＥＴなどのモノフィラメント、アラミド繊維、ガラス繊維、ＰＢＯ（ポリ−パラフェニレンベンゾビスオキサゾール繊維強化プラスチック）繊維等による繊維補強プラスチックなどを用いることができる。
【００２２】
光ファイバ心線３およびテンションメンバ７は、外被１１によって一体化される。外被１１は、例えば難燃性や低摩擦性を付与したポリオレフィン材料を適用することができる。外被１１の断面形状は、略長方形であり、通常のインドアケーブルと同様の形状である。すなわち、外被１１の短辺側の長さ（図中Ａであって、以下「短径」）×長辺側の長さ（図中Ｂであって、以下「長径」）は、２ｍｍ×３ｍｍである。
【００２３】
光ファイバ心線３に対応する位置の外被１１の上下面（テンションメンバ７の併設方向とは垂直な方向の外周面であって長辺側の辺）には、互いに対向する位置に第１のノッチである一対のノッチ９が形成される。上下のノッチ９から、ケーブル分割工具などによって外被１１を破断させると、内部の光ファイバ心線３を、テンションメンバ７および外被１１から分離して取り出すことができる。
【００２４】
外被１１の内部には、テンションメンバ７および光ファイバ心線３と離間した部位であって、光ファイバ心線３を挟むように一対の非密着部５が形成される。非密着部５は、例えば、対向する長辺方向に向けて形成されるスリットである。なお、非密着部５は、スリットでなくてもよく、外被１１同士が完全に一体化されていなければ、非密着部５に隙間が無くてもよい。また、非密着部５は、対向する長辺方向に向けて断続的に形成される多数の小非密着部からなる非密着部群であってもよい。
【００２５】
非密着部５に対応する位置の外被１１の上下面（テンションメンバ７の併設方向とは垂直な方向の外周面であって長辺側の辺）には、互いに対向する位置に第２のノッチであるノッチ１３が形成される。ノッチ１３は、それぞれの非密着部５に対して１対（合計２対）形成される。なお、ノッチ９とノッチ１３とを容易に識別できるように、ノッチ９とノッチ１３のサイズや形状を変えてもよい。
【００２６】
図２は、光ファイバケーブル１を分離した状態を示す図である。それぞれのノッチ１３において上下から、非密着部５の部位で、カッターなどの刃物によって外被１１を破断させると、光ファイバケーブル１を、一対のテンションメンバ７側と光ファイバ心線３側の３つの分割体に分割することができる。ここで、分離されたそれぞれの分割体において、光ファイバ心線３を有する分割体を光ファイバケーブル１ａとする。
【００２７】
光ファイバケーブル１ａの外被１１の断面形状は、略長方形であり、細径インドアケーブルと同様の形状である。すなわち、光ファイバケーブル１ａの外被１１の短径（図中Ｃ）×長径（図中Ａ）は、１．６ｍｍ×２．０ｍｍである。すなわち、光ファイバケーブル１の短径と光ファイバケーブル１ａの長径が等しくなる。
【００２８】
図３（ａ）は、光ファイバケーブル１を把持部材１５ａで把持した状態を示す図である。把持部材１５ａは、通常サイズのインドアケーブルに用いられるものである。把持部材１５ａには、光ファイバケーブル１を収容する収容部１９が形成される。収容部１９の対向するそれぞれの内側面には、中央に向かって刃部１７が形成される。刃部１７は、収容部１９の深さ方向（紙面に垂直な方向）に沿って形成される。
【００２９】
光ファイバケーブル１の短径側を、収容部１９の幅（図中上下方向であって刃部１７が対向する方向）に対応させて、収容部１９に押し込むと、刃部１７が外被１１に食い込み、光ファイバケーブル１が把持される。すなわち、把持部材１５ａの収容部１９の幅は、光ファイバケーブル１の短径Ａよりも広く、対向する刃部１７の先端同士の間隔は、光ファイバケーブル１の短径Ａよりも狭い。このように、通常サイズのインドアケーブル用の把持部材１５ａに対しては、光ファイバケーブル１をそのまま用いることができる。
【００３０】
図３（ｂ）は、細径サイズの把持部材１５ｂで光ファイバケーブル１ａを把持した状態を示す図である。把持部材１５ｂは、細径サイズのインドアケーブルに用いられるものである。把持部材１５ｂは、把持部材１５ａと略同様の構造であるが、把持部材１５ｂの収容部１９の幅は、把持部材１５ａの収容部１９の幅よりも狭い。
【００３１】
光ファイバケーブル１ａの短径側を、把持部材１５ｂの収容部１９の幅（図中上下方向であって刃部１７が対向する方向）に対応させて、収容部１９に押し込むと、刃部１７が外被１１に食い込み、光ファイバケーブル１ａが把持される。すなわち、把持部材１５ｂの収容部１９の幅は、光ファイバケーブル１ａの短径Ｃよりも広く、対向する刃部１７の先端同士の間隔は、光ファイバケーブル１ａの短径Ｃよりも狭い。このように、細径サイズの把持部材１５ｂに対しては、光ファイバケーブル１から光ファイバケーブル１ａを分離して使用することができる。
【００３２】
次に、光ファイバケーブル１をノッチ１３から分離する際の詳細について説明する。図４（ａ）は、光ファイバケーブル１のノッチ１３の近傍の拡大図である。前述した様に、光ファイバケーブル１を分離する際には、上下のノッチ１３を起点にして、刃物で非密着部５に向けて外被１１を切断する。ここで、光ファイバケーブル１の長手方向に垂直な断面において、ノッチ１３は、Ｖ字状の形状である。
【００３３】
ノッチ１３のＶ字の先端は、非密着部５に対応する部位に形成される。したがって、ノッチ１３のＶ字の先端に刃物を当ててまっすぐに外被１１を切断すると、容易に非密着部５まで外被１１を破断させることができる（図中矢印Ｆ）。非密着部５では、光ファイバ心線３側（光ファイバケーブル１ａ側）とテンションメンバ７側の外被１１が密着していないため、容易に分離することができる。このため、ノッチ１３の先端から非密着部５までの間の外被１１のみを破断すれば、容易に光ファイバケーブル１を分離することができる。
【００３４】
ここで、ノッチ１３がＶ字状であるため、ノッチ１３は、光ファイバ心線３側の辺（図中Ｄであって、以下単に辺Ｄとする）と、テンションメンバ７側の辺（図中Ｅであって、以下単に辺Ｅとする）から構成される。ここで、図４（ａ）に示す例では、辺Ｄと辺Ｅは、ともに、短径側の辺（すなわち、ノッチ１３の対向する方向）に対して角度を有する。
【００３５】
このため、ノッチ１３に刃物をあてがった際に、刃物の先端が、Ｖ字の先端からずれた位置に当たる恐れがある。例えば、辺Ｅに刃物の先端が当たると、刃物によって辺Ｅの途中から外被１１が切断されるが、この際、非密着部５よりもテンションメンバ７側の外被１１が切断される恐れがある（図中Ｈ）。同様に、辺Ｄに刃物の先端が当たると、刃物によって辺Ｄの途中から外被１１が切断されるが、この際、非密着部５よりも光ファイバ心線３側の外被１１が切断される恐れがある（図中Ｇ）。
【００３６】
ここで、テンションメンバ７側に切断部がずれた場合には、再度切断をやり直してもよいが、光ファイバ心線３側に切断部がずれた場合には、光ファイバ心線を痛める恐れがある。したがって、少なくとも、光ファイバ心線３側に刃物が差し込まれることを防止する必要がある。
【００３７】
そこで、本発明では、ノッチ１３を、図４（ｂ）に示すような形状とすることが望ましい。図４（ｂ）に示す例では、ノッチ１３は、Ｖ字状ではあるが、辺Ｄが、短径側の辺（すなわち、ノッチ１３の対向する方向）に対して略平行となる。このようにすることで、刃物をノッチ１３の上下からあてた際に、辺Ｄの途中に刃物の先端が当たることを防止することができる。したがって、光ファイバ心線３の方向に切断部がずれることを防止することができる。
【００３８】
以上、本実施の形態によれば、非密着部５で、光ファイバケーブル１を容易に分離することができる。このため、光ファイバケーブル１よりも小さな光ファイバケーブル１ａを容易に形成することができる。この結果、サイズの異なる把持部材１５ａ、１５ｂのいずれに対しても、適用することができる。
【００３９】
また、ノッチ１３とノッチ９は別々の部位に形成されるため、例えばノッチ１３での分離作業時に、誤ってノッチ９を切断することが無い。また、非密着部５がテンションメンバ７と光ファイバ心線３の間に位置するため、分離作業も容易である。また、他の部材を埋め込む必要もない。
【００４０】
また、非密着部５がスリットであれば、確実に、テンションメンバ７側と光ファイバ心線３側（光ファイバケーブル１ａ）とを分離させることができる。
【００４１】
また、ノッチ１３の辺Ｄを短径側の辺に対して略平行とすることで、光ファイバ心線３側に切断部がずれることを防止することができる。
【００４２】
次に、第２の実施の形態について説明する。図５は、光ファイバケーブル１ｂを示す図である。なお、以下の説明において、光ファイバケーブル１等と同一の機能を奏する構成については、図１等と同一の符号を付し、重複する説明を省略する。
【００４３】
光ファイバケーブル１ｂは、光ファイバケーブル１とほぼ同様の構成であるが、支持線２１を有する点で異なる。光ファイバ心線３が設けられるケーブル部には、支持線部が連結される。支持線部には、支持線２１が設けられる。支持線２１は、光ファイバケーブル１ｂを敷設する際に、光ファイバケーブル１ｂを支持するためのものである。支持線２１は、例えば亜鉛メッキ鋼線を使用することができる。すなわち、光ファイバケーブル１ｂは、ドロップケーブルとして用いられる。
【００４４】
光ファイバケーブル１ｂの支持線部をケーブル部から分離することで、光ファイバケーブル１と同様に扱うことができる。すなわち、光ファイバケーブル１ｂのケーブル部の形状は、光ファイバケーブル１と同様である。
【００４５】
このように、第２の実施形態によっても、第１の実施形態と同様の効果を得ることができる。
【００４６】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００４７】
１、１ａ、１ｂ………光ファイバケーブル
３………光ファイバ心線
５………非密着部
７………テンションメンバ
９………ノッチ
１１………外被
１３………ノッチ
１５ａ、１５ｂ………把持部材
１７………刃部
１９………収容部
２１………支持線
【図１】
0006462312.tif 000002
【図２】
0006462312.tif 000003
【図３】
0006462312.tif 000004
【図４】
0006462312.tif 000005
【図５】
0006462312.tif 000006